【手続補正書】
【提出日】平成16年7月7日(2004.7.7)
【手続補正１】
【補正対象書類名】明細書
【補正対象項目名】全文
【補正方法】変更
【補正の内容】
【書類名】            明細書
【発明の名称】        調理器
【特許請求の範囲】
【請求項１】  加熱室と、この加熱室の開口を開閉するドアと、ヒ−タと、前記加熱室内の温度を検知する温度検知手段と、前記加熱室の換気を行う換気手段と、運転操作部と、運転を制御する制御部とを備えた調理器において、前記運転操作部に設けた解凍調理キ−を押した時、前記温度検知手段による加熱室内の検知温度が一定温度以下でない場合、前記換気手段により前記加熱室内の換気を開始するとともに換気の表示を行うことを特徴とする調理器。
【請求項２】  請求項１に記載の調理器において、前記換気手段による換気により前記加熱室内の温度が一定温度以下になったことを前記温度検知手段で検知した時、前記換気の表示を消すとともに、解凍調理キ−を受け付けることを特徴とする調理器。
【発明の詳細な説明】
【０００１】
【発明の属する技術分野】
本発明は、調理器に関するものである。
【０００２】
【従来の技術】
調理器において、オ−ブン運転後などで加熱室内が熱くなっている時に、解凍品等の仕上がり温度が低い食品を加熱室内に入れてスタ−トキ−を押しても、エラ−が表示されてスタ−トキ−を受け付けないために、解凍調理が開始できない。その原因は、加熱室内の温度が一定温度以上であるためであるが、使用者にとってエラ−表示内容の意味がわかりにくかった。また、加熱室内の温度が一定温度以下になるまで、解凍調理の開始を待つ必要があるが、自然冷却であるため加熱室内の温度が一定温度以下になるまでの時間が長い。従って、使用者にとって不便であった。
【０００３】
【発明が解決しようとする課題】
本発明は、消費電力量や電力料金が表示可能な調理器を提供する。
【０００４】
本発明は、オ−ブン運転後などで加熱室内が熱くなっている時、解凍調理が早く開始できるようにするため、自動的に加熱室内を強制換気でき且つ使用者が解凍調理可能になった時を表示する調理器を提供する。
【０００５】
【課題を解決するための手段および発明の効果】
本発明に係る第１の調理器は、加熱室と、この加熱室の開口を開閉するドアと、ヒ−タと、前記加熱室内の温度を検知する温度検知手段と、前記加熱室の換気を行う換気手段と、運転操作部と、運転を制御する制御部とを備えた調理器において、前記運転操作部に設けた解凍調理キ−を押した時、前記温度検知手段による加熱室内の検知温度が一定温度以下でない場合、前記換気手段により前記加熱室内の換気を開始するとともに換気の表示を行うことを特徴とする。
【０００６】
従って、前記運転操作部に設けた解凍調理キ−を押した時、前記温度検知手段による加熱室内の検知温度が一定温度以下でない場合、前記換気手段により前記加熱室内の換気を開始するとともに換気の表示を行うので、使用者は調理器が解凍調理ができる状態になっていないことがすぐにわかる。また、解凍調理ができるまで長く待つ必要がない。
【０００７】
本発明に係る第２の調理器は、前記換気手段による換気により前記加熱室内の温度が一定温度以下になったことを前記温度検知手段で検知した時、前記換気の表示を消すとともに、解凍調理キ−を受け付けることを特徴とする。
【０００８】
従って、前記換気手段による換気により前記加熱室内の温度が一定温度以下になったことを前記温度検知手段で検知した時、前記換気の表示を消すとともに、解凍調理キ−を受け付けるので、使用者は調理器が解凍調理ができる状態になっていることがわかり、すぐに解凍調理を開始することができる。
【０００９】
【発明の実施の形態】
本発明の実施形態の調理器を、図面を参照して説明する。図１は第１の発明の調理器の外観斜視図、図２は第１の発明の調理器の制御回路の構成を示すブロック図、図３は第１の発明の調理器のフロ−チャ−ト図、図４は第２の発明の調理器の外観斜視図、図５は第２の発明の調理器の制御回路の構成を示すブロック図、図６は第２の発明の調理器のフロ−チャ−ト図である。
【００１０】
図１について以下説明する。調理器本体１は、天面と両側面がフレ−ム６で覆われ、加熱室３が形成されており、前記加熱室３の開口３ａを開閉するドア２が設けられている。前記ドア２には、突起２ａが設けられている。突起２ａは、前記ドア２を閉じると、キャビティ前面板４に形成された穴４ａを介して、上記調理器本体１内に入り、そこに配置されたドアスイッチ７（図３）を作動する。前記ドア２の右側には、操作部５が設けられている。
【００１１】
次に、前記操作部５について以下説明する。操作部５には、調理時間表示部５ａ、消費電力量表示部５ｂ、電力料金表示部５ｃ、運転モ−ド設定部５ｄ、現在までの調理時間と現在までの消費電力量と現在までの電力料金の読み出しキ−５ｅ、電力料金単価設定キ−５ｆ、電力料金キ−５ｇ、電源スイッチ５ｈ、スタ−トキ−５ｉ等が設けられている。
【００１２】
次に、図２の調理器の制御回路の構成を示すブロック図について説明する。マイクロコンピュ−タ−８（以下マイコンと称す）には、操作部５に設けた運転モ−ド設定部５ｄよりの入力信号、電力料金単価設定キ−５ｆの入力信号、現在までの調理時間Ｔｏと現在までの消費電力量Ｗｏと現在までの電力料金Ｃｏの読み出しキ−５ｅの入力信号、スタ−トキ−５ｉの入力信号、ドアスイッチ７の開閉信号等が入力され、マイコン８は上記の各入力信号に基づき、表示部（調理時間表示部５ａ、消費電力量表示部５ｂ、電力料金表示部５ｃ）の制御及び高周波発振回路の制御等を行う。また、不揮発性記憶手段９が接続されている。この不揮発性記憶手段９に、積算調理時間、消費電力量、電力料金、電力料金の単価を記憶させる。
【００１３】
次に、図３のフロ−チャ−トについて以下説明する。前記電源スイッチ５ｈを押してＯＮし（ステップＳ１）、第一の特定キ−である前記読み出しキ−５ｅを押す（ステップＳ２）と、現在までの調理時間（Ｔｏ）と現在までの消費電力量（Ｗｏ）と現在までの電力料金（Ｃｏ）が前記不揮発性記憶手段９より読み出される（ステップＳ３）。
【００１４】
次に、運転モ−ド設定部５ｄの設定キ−が押されて運転モ−ドが設定されたか判断する（ステップＳ４）。運転モ−ドが設定された場合（ステップＳ４でＹＥＳ）、次にスタ−トキ−５ｉが押されてＯＮしたか判断する（ステップＳ５）。前記スタ−トキ−５ｉが押されると（ステップＳ５でＹＥＳ）、運転を開始する（ステップＳ６）。次に、前記運転モ−ドの運転が終了したか判断し（ステップＳ７）、運転が終了したのであれば（ステップＳ７でＹＥＳ）、運転の積算時間（Ｔｎ）を読み取り（ステップＳ８）、前記運転の消費電力（Ｗｐ）を前記マイコン８で計算する（ステップＳ９）。消費電力（Ｗｐ）の計算は、次の計算式で行うように予め前記マイコン８にプログラムされている。
【００１５】
Ｗｐ＝（Ｔｎ−Ｔｏ）×Ｋ（消費電力係数）  消費電力係数Ｋは、運転モ−ドにより異なり予め前記マイコン８にプログラムされている。従って、消費電力の計算手段は運転モ−ドの経過時間と、消費電力係数Ｋと、前記マイコン８とで構成される。消費電力（Ｗｐ）が計算された後、積算消費電力量（Ｗｔ）が計算される（ステップＳ１０）。積算消費電力量（Ｗｔ）の計算は、次の計算式で行うように予め前記マイコン８にプログラムされている。Ｗｔ＝Ｗｏ＋Ｗｐ（現在までの消費電力量と新たな消費電力量の合計）積算消費電力量（Ｗｔ）の計算後、積算消費電力量（Ｗｔ）を前記操作部５の消費電力量表示部５ｂに表示する（ステップＳ１１）。次に、所定時間内（５秒）で第二の特定キ−である電力料金キ−５ｇが押されたか判断する（ステップＳ１２）。電力料金キ−５ｇが押されなければ（ステップＳ１２でＮＯ）、前記運転の積算時間（Ｔｎ）と消費電力量（Ｗｔ）とを前記不揮発性記憶手段９にデ−タ転送する（ステップＳ１３）。そして、Ｔｏ＝Ｔｎ、Ｗｏ＝Ｗｔとして前記不揮発性記憶手段９に記憶させる（ステップＳ１４）。電力料金キ−５ｇが押されると（ステップＳ１２でＹＥＳ）、前記マイコン８で電力料金（Ｃｔ）を計算する（ステップＳ１５）。この電力料金（Ｃｔ）の計算時には、前記不揮発性記憶手段９に記憶されている電力料金の単価（Ｅ）呼び出して前記マイコン８で計算する。
【００１６】
電力料金（Ｃｔ）は、次の計算式で計算される。Ｃｔ＝Ｗｔ×Ｅ従って、電力料金の計算手段は消費電力量と、電力料金の単価と、前記マイコン８とで構成される。電力料金（Ｃｔ）が計算された後、電力料金（Ｃｔ）を前記操作部５の電力料金表示部５ｃに表示する（ステップＳ１６）。その後、電力料金（Ｃｔ）を前記不揮発性記憶手段９にデ−タ転送する（ステップＳ１７）。そして、Ｃｏ＝Ｃｔとして前記不揮発性記憶手段９に記憶させる（ステップＳ１８）。以上に説明したように、使用者は表示部を見ることによりすぐに消費電力量や電力料金がわかり、使用電力の節約意識向上が図れ、電力料金の支払い金額の予測ができる。
【００１７】
図４について以下説明する。調理器本体１１は、天面と両側面がフレ−ム１６で覆われ、加熱室１３が形成されており、前記加熱室１３の開口１３ａを開閉するドア１２が設けられている。前記ドア１２には、突起１２ａが設けられている。突起１２ａは、前記ドア１２を閉じると、キャビティ前面板１４に形成された穴１４ａを介して、上記調理器本体１１内に入り、そこに配置されたドアスイッチ２０（図５）を作動する。前記ドア１２の右側には、操作部１５が設けられている。調理器本体１１の後部を形成する後面板１７には吸気口１７ａおよび排気口１７ｂが設けられている。前記加熱室１３の後面には吸気口１３ｃが形成され、前記加熱室１３の右側面には換気口１３ｄが形成されている。なお、前記換気口１３ｄの形成位置には、換気手段である換気ファン１９が取り付けられている。また、前記加熱室１３の上部にはヒ−タ２１（図５）、前記加熱室１３の天面１３ｂには加熱室内の温度を検知する温度検知手段であるサ−ミスタ１８が設けられている。
【００１８】
次に、操作部１５について説明する。前記操作部１５には、調理時間表示部１５ａ、換気表示部１５ｂ、調理コ−ス等の入力部１５ｃ、解凍調理キ−１５ｄ、電源スイッチ１５ｅ、スタ−トキ−１５ｆが設けられている。
【００１９】
次に、図５の調理器の制御回路の構成を示すブロック図について以下説明する。マイクロコンピュ−タ−２１（以下マイコンと称す）には、操作部１５に設けた調理コ−ス等の入力部１５ｄよりの入力信号、解凍調理キ−１５ｄの入力信号、サ−ミスタ１８からの温度検知信号、ドアスイッチ２０の開閉信号等が入力され、マイコン２１は上記の各入力信号に基づき、前記表示部（調理時間表示部１５ａ、換気表示部１５ｂ）の制御、換気ファン１９の制御、ヒ−タ２１及び高周波発振器２２の制御等を行う。
【００２０】
次に、図６のフロ−チャ−トについて以下説明する。最初に電源スイッチ１５ｅを押してＯＮし（ステップＳ２１）、解凍調理キ−１５ｄを押すと（ステップＳ２２）、温度検知手段であるサ−ミスタ１８により加熱室１３の内部温度を測定する（ステップＳ２３）。次に、加熱室１３の内部温度が一定温度以下であるか判断する（ステップＳ２４）。加熱室１３の内部温度が一定温度以下である場合（ステップＳ２４でＹＥＳ）、解凍調理キ−１５ｄを受け付ける（ステップＳ２５）。従って、スタ−トキ−１５ｆを押すと解凍調理が開始される。加熱室１３の内部温度が一定温度以下でない場合（ステップＳ２４でＮＯ）、前記操作部１５の換気表示部１５ｂに、換気の表示を行う（ステップＳ２６）。この場合、解凍調理キ−１５ｄを受け付けないためスタ−トキ−１５ｆを押しても解凍調理が開始されない。同時に、換気手段である換気ファン１９に通電されて換気ファン１９が作動し、加熱室１３内の換気を開始する（ステップＳ２７）。
【００２１】
前記換気の表示により、使用者は調理器が解凍調理ができる状態になっていないことがすぐにわかる。前記換気ファン１９が作動すると、外気を前記吸気口１７ａより吸い込む。そして、前記外気を前記加熱室１３に設けた吸気口１３ｃより吸い込み、換気口１３ｄを介して前記排気口１７ｂより調理器１１の外部に排気する。これらの動作が繰り返されることにより、前記加熱室１３の内部温度が早く低下するので使用者は解凍調理ができるまで長く待つ必要がない。
【００２２】
前記換気ファン１９が作動開始すると同時に、前記表示部１５ａに換気残り時間を表示する（ステップＳ２８）。換気残り時間表示後も、前記サ−ミスタ１８による加熱室１３の内部温度測定は連続して行われる（ステップＳ２９）。そして、加熱室１３の内部温度が一定温度以下であるか判断する（ステップＳ３０）。加熱室１３の内部温度が一定温度以下であれば（ステップＳ３０でＹＥＳ）、前記換気の表示は消える（ステップＳ３１）。そして、前記換気ファン１９は作動を停止し（ステップＳ３２）、同時に換気残り時間表示はゼロの表示となる（ステップＳ３３）。換気の表示が消えると解凍調理キ−１５ｄを受け付ける（ステップＳ３４）。従って、スタ−トキ−１５ｆを押すと解凍調理が開始される。
【００２３】
前記換気の表示が消えることにより、使用者は調理器が解凍調理ができる状態になっていることがわかり、すぐに解凍調理を開始することができる。
【００２４】
【発明の効果】
第１の発明では、使用者は消費電力量や電力料金がわかり、使用電力の節約意識向上が図れ、電力料金の支払い金額の予測ができる。
【００２５】
第２の発明では、使用者は調理器が解凍調理ができる状態になっているかいないかすぐにわかる。
【図面の簡単な説明】
【図１】
第１の発明の調理器の外観斜視図である。
【図２】
同制御回路の構成を示すブロック図である。
【図３】
同フロ−チャ−ト図である。
【図４】
第２の発明の調理器の外観斜視図である。
【図５】
同制御回路の構成を示すブロック図である。
【図６】
同フロ−チャ−ト図である。
【符号の説明】
１          調理器本体
２          ドア
３          加熱室
５          操作部
５ｂ        消費電力量表示部
５ｃ        電力料金表示部
５ｄ        運転モ−ド設定部
５ｅ        読み出しキ−
５ｉ        スタ−トキ−
８          マイクロコンピュ−タ−
９          不揮発性記憶手段
１１        調理器本体
１２        ドア
１３        加熱室
１３ｂ      天面
１３ｃ      吸気口
１３ｄ      換気口
１５        操作部
１７ａ      吸気口
１８        サ−ミスタ
１９        換気ファン